(57)【要約】【課題】ルーフパネルの前端部に片持ち支持されるヘッダパネルの剛性を効果的に向上できる車体構造を提供する。【解決手段】ルーフパネル６０の前端部６０ａに片持ち支持されるヘッダパネル１０を備え、ヘッダパネル１０は、車両幅方向の中央部において、車両後方側に膨出する膨出部１２を備える。膨出部１２を車両幅方向に跨ぐようにヘッダパネル１０の車両上方側の面に取り付けられる横リーンフォースメント２０と、ルーフパネル６０にヘッダパネル１０が片持ち支持される第一接合部５１と膨出部１２における車両後方側の端部とにわたるようにヘッダパネル１０の車両上方側の面に取り付けられる縦リーンフォースメント３０と、横リーンフォースメント２０と縦リーンフォースメント３０とが交差する箇所で互いに接合される第二接合部５２とを備える。膨出部１２は、第二接合部５２の車両下方側の近傍に、インナミラー１００の取付部１２０を備える。【選択図】図２
2020157827.tif 000002
【特許請求の範囲】
【請求項１】
ルーフパネルとの間に空間を有するように前記ルーフパネルの前端部に片持ち支持されるヘッダパネルを備える車体構造であって、
前記ヘッダパネルは、車両幅方向の中央部において、車両後方側に膨出する膨出部を備え、
前記膨出部を車両幅方向に跨ぐように前記ヘッダパネルの車両上方側の面に取り付けられる横リーンフォースメントと、
前記ルーフパネルに前記ヘッダパネルが片持ち支持される第一接合部と前記膨出部における車両後方側の端部とにわたるように前記ヘッダパネルの車両上方側の面に取り付けられる縦リーンフォースメントと、
前記横リーンフォースメントと前記縦リーンフォースメントとが交差する箇所で互いに接合される第二接合部とを備え、
前記膨出部は、前記第二接合部の車両下方側の近傍に、インナミラーの取付部を備える、
車体構造。
【発明の詳細な説明】
【技術分野】
【０００１】
本発明は、ルーフパネルとの間に空間を有するようにルーフパネルの前端部に片持ち支持されるヘッダパネルを備える車体構造に関する。
【背景技術】
【０００２】
特許文献１は、ルーフパネルの前端部に片持ち支持されるヘッダパネルにルームミラー（インナミラー）を支持させる構造を開示している。片持ち支持されるヘッダパネルにインナミラーの取付部を設定すると、車体の振動等によってインナミラーも振動し易い。特許文献１では、ルーフパネルとヘッダパネルの後端部との間の隙間を埋めるように弾性変形可能な閉塞部材を配置している。
【先行技術文献】
【特許文献】
【０００３】
【特許文献１】特開２０１６−４９８３６号公報
【発明の概要】
【発明が解決しようとする課題】
【０００４】
ヘッダパネルにおける車両幅方向の中央部が車両後方側に膨出されることがある。例えば、ウインドシールドの上部にカメラが配置されると、インナミラーが車両後方側に押し出され、ヘッダパネルにおけるインナミラーの取付部が車両後方側に膨出されることがある。インナミラーの取付部が車両後方側に膨出すると、ルーフパネルにヘッダパネルが片持ち支持される接合部とインナミラーの取付部との距離が長くなり、インナミラーの取付部の剛性が悪化し、インナミラーがより振動し易くなる。
【０００５】
ヘッダパネルにおける車両後方側への膨出箇所（インナミラーの取付部）の剛性を向上することが望まれる。特許文献１に記載の技術では、閉塞部材がルーフパネルの下面に接着固定されているだけであり、建付け剛性が低く、インナミラーの振動を抑制し難い。
【０００６】
そこで、本発明の目的の一つは、ルーフパネルの前端部に片持ち支持されるヘッダパネルの剛性を効果的に向上できる車体構造を提供することにある。
【課題を解決するための手段】
【０００７】
本発明の一態様に係る車体構造は、
ルーフパネルとの間に空間を有するように前記ルーフパネルの前端部に片持ち支持されるヘッダパネルを備える車体構造であって、
前記ヘッダパネルは、車両幅方向の中央部において、車両後方側に膨出する膨出部を備え、
前記膨出部を車両幅方向に跨ぐように前記ヘッダパネルの車両上方側の面に取り付けられる横リーンフォースメントと、
前記ルーフパネルに前記ヘッダパネルが片持ち支持される第一接合部と前記膨出部における車両後方側の端部とにわたるように前記ヘッダパネルの車両上方側の面に取り付けられる縦リーンフォースメントと、
前記横リーンフォースメントと前記縦リーンフォースメントとが交差する箇所で互いに接合される第二接合部とを備え、
前記膨出部は、前記第二接合部の車両下方側の近傍に、インナミラーの取付部を備える。
【発明の効果】
【０００８】
第一接合部は、ヘッダパネルとルーフパネルとの接合箇所であり、剛性が高い。上記車体構造は、横リーンフォースメントによって膨出部を車両前後方向に区画し、かつ縦リーンフォースメントによって剛性が高い第一接合部と膨出部の車両後方側の端部とを繋ぐことにより、膨出部の剛性を高めることができる。また、上記車体構造は、横リーンフォースメントと縦リーンフォースメントとで交差箇所を形成し、この交差箇所に互いに接合される第二接合部を設けることで、膨出部の剛性をより高めることができる。以上より、上記車体構造は、ヘッダパネルがルーフパネルの前端部に片持ち支持され、かつヘッダパネルにおけるインナミラーの取付部が車両後方側に膨出される形態であっても、膨出部を含むヘッダパネルの剛性を効果的に向上できる。特に、上記車体構造は、剛性が高い第二接合部の車両下方側の近傍に、インナミラーの取付部を設けることで、インナミラーの振動を効果的に抑制できる。
【図面の簡単な説明】
【０００９】
【図１】図１は、実施形態の車体構造をルーフパネルを外した状態で車外側から見た概略構成図である。
【図２】図２は、図１の（ＩＩ）−（ＩＩ）線で切断した断面図である。
【発明を実施するための形態】
【００１０】
本発明の実施形態の車体構造を、図１及び図２を参照して説明する。図中の同一符号は同一名称物を示す。なお、以下の説明において、「前」、「後」、「上」、「下」、「左」、「右」とは、車両の正面を「前」とし、これを基準とする方向を意味し、図中、矢印ＦＲは車両前後方向の前側、矢印ＲＲは後側、矢印ＬＨは車両左右方向（車両幅方向）の左側、矢印ＲＨは右側、矢印ＵＰは車両上下方向の上側、矢印ＬＷＲは下側を示す。
【００１１】
〔全体構成〕
実施形態の車体構造１は、図１及び図２に示すように、ルーフパネル６０（図２）の前端部６０ａに片持ち支持されるヘッダパネル１０を備える。ヘッダパネル１０は、車両幅方向の中央部において、車両後方側に膨出する膨出部１２を備える。ヘッダパネル１０は、膨出部１２に、インナミラー１００（図２）の取付部１２０（図１及び図２においてクロスハッチングで示す領域）を備える。実施形態の車体構造１は、ヘッダパネル１０の車両上方側の面に取り付けられる横リーンフォースメント２０及び縦リーンフォースメント３０と、横リーンフォースメント２０と縦リーンフォースメント３０とが互いに接合される接合部（第二接合部５２、図２）とを備える点を特徴の一つとする。また、実施形態の車体構造１は、膨出部１２における第二接合部５２の車両下方側の近傍に、インナミラー１００の取付部１２０を備える点を特徴の一つとする。
【００１２】
〔ヘッダパネル〕
ヘッダパネル１０は、図１に示すように、車両幅方向に延設され、フロントピラーインナパネル７０間に架け渡される。ヘッダパネル１０は、車両幅方向に延びる本体部１１と、車両幅方向の中央部において、本体部１１から車両後方側に膨出する膨出部１２とを備える。
【００１３】
ヘッダパネル１０は、図２に示すように、前端部１１ａがルーフパネル６０の前端部６０ａに接合され、後端部１２ｂが開放しており、ルーフパネル６０に対して片持ち支持されている。図２では、膨出部１２の後端部１２ｂが開放した状態を示しているが、ヘッダパネル１０の車両幅方向の全域にわたって後端部が開放している。ルーフパネル６０にヘッダパネル１０が片持ち支持される接合部（第一接合部５１）は、溶接による接合で構成される。溶接方法としては、例えば、焼抜き栓溶接（ＳＰＷ）やスポット溶接が挙げられる。本例では、第一接合部５１は、ＳＰＷによる接合で構成される。第一接合部５１の数は適宜選択できる。
【００１４】
ヘッダパネル１０の後端部１２ｂは、図２に示すように、ルーフパネル６０に接合されない。よって、ヘッダパネル１０の後端部１２ｂとルーフパネル６０との間には空間が形成される。この空間には、天井部材９０が差し込まれる。上記空間に天井部材９０が差し込み可能であることで、クリップ等を用いずに、車室上部に天井部材９０を配置することができる。図１では、ルーフパネル６０及び天井部材９０を外した状態で車外側から見た車体構造１を示す。
【００１５】
ルーフパネル６０の前端部６０ａには、図２に示すように、ウインドシールド８０が図示しないシール部材を介して取り付けられる。つまり、ヘッダパネル１０は、ウインドシールド８０（図２）の上縁に沿って車両幅方向に延設される。本例では、ウインドシールド８０の上部の車内側に、カメラ２００が接着により配置されている。インナミラー１００は、カメラ２００の車両後方側に配置される。そのため、インナミラー１００は、カメラ２００が配置されない場合に比較して、車両後方側に押し出される。よって、ヘッダパネル１０におけるインナミラー１００の取付部１２０も車両後方側に移行される。膨出部１２は、移行したインナミラー１００の取付部１２０に対応して本体部１１から車両後方側に膨出した部分である。
【００１６】
膨出部１２は、本体部１１に対してヘッダパネル１０の左右両端部側から車両幅方向の中央部に向かうに従って漸次車両後方側に延びるように配置される。本例では、膨出部１２は、車両幅方向の中央部を境界にして左右対称に配置されている。インナミラー１００の取付部１２０は、膨出部１２における車両幅方向の略中央部に設けられている。膨出部１２における本体部１１からの膨出量は、インナミラー１００が車両後方側に移行される量に対応して適宜選択できる。
【００１７】
〔横リーンフォースメント〕
横リーンフォースメント２０は、膨出部１２を跨ぐようにヘッダパネル１０の車両上方側の面に取り付けられる補強部材である。横リーンフォースメント２０は、膨出部１２を跨ぐ領域（以下、中央領域と呼ぶ）と、中央領域以外の領域（以下、端部領域と呼ぶ）とを備える。中央領域は、車両上方側に位置する辺と、車両後方側に位置する辺とを有する断面Ｌ字状に形成されている（図２を参照）。端部領域は、車両上方側に位置する辺と、車両後方側に位置する辺と、車両下方側に位置する辺とを有する断面凹字状に形成されている。横リーンフォースメント２０は、端部領域における車両下方側に位置する辺がヘッダパネル１０の本体部１１の車両上方側の面に溶接により接合されている。膨出部１２の周辺、特に膨出部１２の車両幅方向の中央部には、インナミラー１００の近傍に設けられる図示しないルームランプ用のハーネスや、カメラ用のハーネス等が配策される。これらハーネスの配策作業を行い易くしたり、後述する第二接合部５２の接合（溶接）作業を行い易くするため、膨出部１２を跨ぐ中央領域では、車両下方側に位置する辺が切り欠かれて断面Ｌ字状に形成されている。
【００１８】
〔縦リーンフォースメント〕
縦リーンフォースメント３０は、ルーフパネル６０にヘッダパネル１０が片持ち支持される第一接合部５１と膨出部１２の後端部１２ｂとにわたるようにヘッダパネル１０の車両上方側の面に取り付けられる補強部材である。縦リーンフォースメント３０は、車両幅方向の中央部から車両幅方向の一方側（本例では右側）にずれた位置に配置される。膨出部１２の車両幅方向の中央部には、上述したように、カメラ２００等の付加部品用のハーネスが配策されるからである。縦リーンフォースメント３０は、カメラ２００等の付加部品用のハーネスの配策作業の邪魔にならない程度に、可能な限り車両幅方向の中央部により近づけて取り付けられることが好ましい。本例では、縦リーンフォースメント３０は、横リーンフォースメント２０を車両上方側から覆うように設けられている（図２を参照）。
【００１９】
縦リーンフォースメント３０の前端部３０ａは、ヘッダパネル１０の前端部１１ａ及びルーフパネル６０の前端部６０ａと共に第一接合部５１において溶接により接合される。本例では、ヘッダパネル１０の前端部１１ａとルーフパネル６０の前端部６０ａとの間に縦リーンフォースメント３０の前端部３０ａが挟み込まれ、互いを溶接することにより第一接合部５１が構成されている。縦リーンフォースメント３０の後端部３０ｂは、膨出部１２の後端部１２ｂに溶接により接合される。つまり、縦リーンフォースメント３０の後端部３０ｂと膨出部１２の後端部１２ｂとの接合部（第三接合部５３、図２）は、溶接による接合で構成される。溶接方法としては、例えば、焼抜き栓溶接（ＳＰＷ）やスポット溶接が挙げられる。本例では、第三接合部５３は、ＳＰＷによる接合で構成される。
【００２０】
〔第二接合部〕
第二接合部５２は、横リーンフォースメント２０と縦リーンフォースメント３０とが交差する箇所において、横リーンフォースメント２０と縦リーンフォースメント３０とが互いに接合される箇所である。本例では、横リーンフォースメント２０の中央領域における車両上方側の辺と、縦リーンフォースメント３０における上記辺を車両上方側から覆う箇所とが接合される。つまり、第二接合部５２は、横リーンフォースメント２０が車両下方側に位置し、縦リーンフォースメント３０が車両上方側に位置する状態で構成される。なお、横リーンフォースメント２０の中央領域に車両下方側の辺を有する場合、第二接合部５２は、横リーンフォースメント２０が車両上方側に位置し、縦リーンフォースメント３０が車両下方側に位置する状態で構成されてもよい。第二接合部５２は、溶接による接合で構成される。溶接方法としては、例えば、焼抜き栓溶接（ＳＰＷ）やスポット溶接が挙げられる。本例では、第二接合部５２は、ＳＰＷによる接合で構成される。第二接合部５２の数は適宜選択できる。
【００２１】
上述したヘッダパネル１０の膨出部１２におけるインナミラー１００の取付部１２０は、図２に示すように、第二接合部５２の車両下方側の近傍に設けられる。本例では、インナミラー１００の取付部１２０は、第二接合部５２よりも車両幅方向の左側に若干ずれる（図１を参照）と共に、第二接合部５２よりも車両後方側に若干ずれた（図２を参照）位置に設けられている。インナミラー１００の取付部１２０は、カメラ２００等の付加部品用のハーネスの配策作業の邪魔にならない程度に、可能な限り第二接合部５２の車両直下により近づけて設けられることが好ましい。
【００２２】
〔サブリーンフォースメント〕
本例では、縦リーンフォースメント３０は、車両幅方向の中央部から車両幅方向の一方側（本例では右側）にずれた位置に配置される。そのため、車両幅方向の中央部から車両幅方向の他方側（本例では左側）にずれた位置にサブリーンフォースメント４０を配置してもよい。サブリーンフォースメント４０は、横リーンフォースメント２０と膨出部１２の後端部１２ｂとにわたるようにヘッダパネル１０の車両上方側の面に取り付けられる補強部材である。サブリーンフォースメント４０を取り付ける場合、本例では、サブリーンフォースメント４０の前端部は、横リーンフォースメント２０の中央領域における車両上方側の辺に溶接により接合され、サブリーンフォースメント４０の後端部は、膨出部１２の後端部１２ｂに溶接により接合される。溶接方法としては、例えば、焼抜き栓溶接（ＳＰＷ）やスポット溶接が挙げられる。本例では、各接合部は、ＳＰＷによる接合で構成される。
【００２３】
〔作用効果〕
実施形態の車体構造１は、横リーンフォースメント２０によって膨出部１２を車両前後方向に区画し、かつ縦リーンフォースメント３０によって剛性が高い第一接合部５１と膨出部１２の後端部１２ｂとを繋ぐことにより、膨出部１２の剛性を高めることができる。また、上記車体構造１は、横リーンフォースメント２０と縦リーンフォースメント３０との交差箇所に互いに接合される第二接合部５２を設けることで、膨出部１２の剛性をより高めることができる。以上より、上記車体構造１は、ヘッダパネル１０がルーフパネル６０の前端部６０ａに片持ち支持され、かつヘッダパネル１０におけるインナミラー１００の取付部１２０が車両後方側に膨出される形態であっても、膨出部１２を含むヘッダパネル１０の剛性を効果的に向上できる。
【００２４】
実施形態の車体構造１は、縦リーンフォースメント３０が、車両幅方向の中央部から車両幅方向の一方側にずれた位置に配置されることにより、カメラ２００等の付加部品用のハーネスの取り回し作業を行い易い。このとき、車両幅方向の中央部から車両幅方向の他方側にずれた位置にサブリーンフォースメント４０を配置することで、膨出部１２の剛性をバランスよく向上できる。
【００２５】
実施形態の車体構造１は、上述したように膨出部１２の剛性を向上できた上に、剛性が高い第二接合部５２の車両下方側の近傍に、インナミラー１００の取付部１２０を設けることで、インナミラー１００の振動を効果的に抑制できる。
【００２６】
実施形態の車体構造１は、ヘッダパネル１０に横リーンフォースメント２０及び縦リーンフォースメント３０を配置することによって剛性を向上しており、ヘッダパネル１０の後端部１２ｂとルーフパネル６０との間に空間を形成することができる。この空間に天井部材９０を配置することができる。よって、実施形態の車体構造１は、クリップ等を用いずに、車室上部に天井部材９０を配置する構成に好適に利用できる。
【００２７】
本発明はこれらの例示に限定されるものではなく、特許請求の範囲によって示され、特許請求の範囲と均等の意味及び範囲内でのすべての変更が含まれることが意図される。
【符号の説明】
【００２８】
１  車体構造
１０  ヘッダパネル
１１  本体部、１１ａ  前端部
１２  膨出部、１２ｂ  後端部、１２０  取付部
２０  横リーンフォースメント
３０  縦リーンフォースメント、３０ａ  前端部、３０ｂ  後端部
４０  サブリーンフォースメント
５１  第一接合部、５２  第二接合部、５３  第三接合部
６０  ルーフパネル、６０ａ  前端部
７０  フロントピラーインナパネル
８０  ウインドシールド
９０  天井部材
１００  インナミラー
２００  カメラ
【図１】
2020157827.tif 000003
【図２】
2020157827.tif 000004